(57)【特許請求の範囲】
【請求項１】
音響振動板と、この音響振動板面に接合された音発生用の振動発生器からなり、住宅用建材に装着される音響再生装置であって、前記音響振動板に接合された桟と、この桟に設けられた円筒状の第１の中空部分と、前記第１の中空部分に装着され、かつ第２の中空部分を有する円筒状の弾性材料からなる振動吸収材と、前記第２の中空部分を挿通するネジと、前記音響振動板に設けられ、前記ネジの頭部の径よりも大きな径の第１の貫通孔とを設け、前記第１の貫通孔と、前記第１の中空部分、および前記第２の中空部分は、前記住宅用建材に設けられた第２の貫通孔と同軸上に配置され、前記ネジは前記第１の貫通孔から第２の貫通孔に向かって挿入され、前記ネジの締結によって、前記振動吸収材が径方向に膨れることにより、前記振動吸収材の径方向の側面が前記第１の中空部分の内壁へ圧接される音響再生装置。
【請求項２】
前記桟に段差部を設け、振動吸収材をこの振動吸収材の挿入方向で前記段差部に当接させた請求項１に記載の音響再生装置。
【請求項３】
前記桟と前記住宅用建材間に伸縮性を有するクッション材を配置した請求項１または請求項２に記載の音響再生装置。
【請求項４】
前記音響振動板は、前記住宅建材と同一材料を用いた請求項１または請求項２または請求項３に記載の音響再生装置。
【発明の詳細な説明】
【技術分野】
【０００１】
本発明は、住宅やマンション、オフィスビル等の建築材料で構成された居住空間に使用される音響装置の一種である平板状の音響再生装置に関するものである。
【背景技術】
【０００２】
従来の音響再生装置を住宅設備機器に装着した状態を示す図５の側断面図により、その構成を動作と共に説明する。
【０００３】
同図によると、１０４は住宅設備機器を構成している壁面部の一部である。１０５は電気入力信号に応じた振動を発生する振動発生器であり、音響振動板１０１に接合され、これを前記振動発生器１０５にて振動させることで音を発生する。前記住宅設備機器壁面１０４と、前記音響再生装置１００とはネジ１０２とナット１０６にて完全に締結されている。１０３は防振材であり、前記音響振動板１０１の振動を前記住宅設備機器壁面１０４に伝達防止する目的で用いられている。
【０００４】
このように、住宅設備機器を構成する面部に、平板状の音響再生装置を取り付けることで、これまで箱型の音響再生装置で占められていた住空間の有効活用が可能となると共に、配線等も設備の裏側で完結できるため、音響再生装置の存在を意識することなく音楽を楽しむことが可能となる。
【０００５】
以上のような先行例として特許文献１がある。
【特許文献１】特開２００６−１０１９６１号公報
【発明の開示】
【発明が解決しようとする課題】
【０００６】
しかしながら、前記従来の音響再生装置では、ネジ１０２とナット１０６とを用いて音響再生装置１００と、住宅設備機器壁面１０４とを完全に固定していたため、施工時における前記ネジ１０２の状態や、施工作業の締め付けトルク等のバラつきがあった場合に、音響振動板１０１の分布振動モードに変化が生じ、結果として再生音自体にもバラつきが発生するという課題があった。
【０００７】
また、前記ネジ１０２頭部が、前記音響振動板１０１面外側へ突出する形となるため、前記住宅設備機器の外観を損ねるという課題も有していた。
【０００８】
本発明は、前記従来の課題を解決するもので、施工作業による再生音のバラつきを無くすと共に、住宅設備機器の外観を損なうことなく、取り付け可能とした音響再生装置を提供することを目的とするものである。
【課題を解決するための手段】
【０００９】
前記課題を解決するために、本発明の音響再生装置は、音響振動板に接合された桟と、この桟に設けられた第１の円筒状の中空部分と、前記第１の中空部分に装着され、かつ第２の中空部分を有する円筒状の弾性材料からなる振動吸収材と、前記第２の中空部分を挿通するネジと、前記音響振動板に設けられ、前記ネジの頭部の径よりも大きな径の第１の貫通孔とを設け、前記第１の貫通孔と、前記第１の中空部分、および前記第２の中空部分は、前記住宅用建材に設けられた第２の貫通孔と同軸上に配置され、前記ネジは前記第１の貫通孔から第２の貫通孔に向かって挿入され、前記ネジの締結によって、前記振動吸収材が径方向に膨れることにより、前記振動吸収材の径方向の側面が前記第１の中空部分の内壁へ圧接されるものである。
【発明の効果】
【００１０】
本発明の音響再生装置によれば、前記構成によって、音響再生装置と住宅設備機器壁面とを完全に締結することなく、前記振動吸収材を介して前記音響再生装置を前記住宅設備機器壁面に設置することで、前記音響再生装置の施工作業による前記音響再生装置の音響振動板の分布振動モードのバラつきを抑制し、再生音を一定に保つことができる。
【発明を実施するための最良の形態】
【００１１】
以下本発明を実施するための最良の形態について、図面を参照しながら説明する。
【００１２】
なお、説明にあたって、従来技術と同一部分は同一番号を付与し、説明を省略して説明する。
【００１３】
（実施の形態１）
図１（ａ）は、本発明の一実施の形態の音響再生装置を居住空間内の住宅設備機器壁面に取り付けた際の正面図、図１（ｂ）は、同図１（ａ）のＡ−Ａ’を基準とした構造断面図である。
【００１４】
同図によると、２０５は音響振動板であり、硬質なパネル状のもので、特に木や樹脂といったものを材料に用いている。１０５は振動発生器であり、磁束発生手段である磁気回路（図示せず）と、磁気ギャップ内に収められた駆動用のボイスコイル（図示せず）から構成された動電型の振動発生器であり、前記ボイスコイルが前記音響振動板２０５に接合されている。２０１は前記音響振動板２０５の、前記振動発生器１０５とは異なる場所に接合されている桟であり、前記音響振動板２０５を住宅設備機器壁面１０４に取り付けるのに必要なネジ１０２を挿通する円筒状にくり抜いた中空構造となっている。
【００１５】
２０４は前記桟２０１の中空に嵌めこまれる中空円筒状のゴム材料からなる振動吸収材であり、ネジ１０２を中空部分に挿通してナット１０６とで音響振動板２０５と住宅設備機器壁面１０４を締結した時、前記振動発生器１０５による振動を遮断するものである。
【００１６】
前記振動吸収材２０４の材料としては、内部損失の大きいＳＢＲ（スチレン・ブタジエンゴム）やＩＩＲ（ブチルゴム）などが用いられる。２０２は前記住宅設備機器壁面１０４に設けられ、前記桟２０１の中空部と前記振動吸収材２０４の中空部とを貫く同軸の貫通孔である。
【００１７】
２０３は前記音響振動板２０５に設けられ、前記貫通孔２０２と同軸の貫通孔である。また、この貫通孔２０３の面積は前記貫通孔２０２、前記ネジ１０２の頭部断面積のそれぞれより大きい。
【００１８】
前記ネジ１０２は前記貫通孔２０３から前記貫通孔２０２に向かって挿入され、前記ナット１０６を用いることで、前記音響再生装置２００を前記住宅設備機器壁面１０４へ取り付けている。その際、前記音響再生装置２００は、前記振動吸収材２０４を介して、前記ネジ１０２にて重量を支持する形で前記住宅設備機器壁面１０４と装着されている。
【００１９】
以上の構成によれば、従来、音響再生装置２００を、住宅設備機器壁面１０４に取り付ける際、ネジ１０２とナット１０６とを用いて、前記音響再生装置２００と、前記住宅設備機器壁面１０４とを完全に締結し、音響再生装置２００の重量を支持していたものを、桟２０１内部に装着されたゴム材料からなる振動吸収材２０４をネジ１０２とナット１０６により締め付けて径方向に膨れ、前記桟２０１の中空内壁と強固に圧接することで、前記音響再生装置２００の住宅設備機器壁面１０４への装着を行なうことで、音響再生装置２００の取り付け施工作業のバラつきを前記振動吸収材２０４による弾性材料による圧接による装着・支持により吸収して、前記音響振動板２０５の分布振動モードのバラつきを抑制し、前記音響再生装置２００による再生音も一定に保つことができる。
【００２０】
また、更に、前記ネジ１０２頭部よりも貫通孔２０３の径を大きくしたことで前記音響振動板２０５の内側に埋設することができ、前記住宅設備機器壁面１０４の外側から前記ネジ１０２を目立たなくさせることができる。
【００２１】
なお、本実施の形態において、前記音響振動板２０５の材料として木、樹脂としているが、金属、紙、ガラス、石膏、発泡体などの材料を用いてもよい。その場合は、材料毎に違った音質を楽しめるという別の効果も得られる。
【００２２】
また、前記ナット１０６は必ずしも必要では無く、無い場合でも前記住宅設備機器壁面１０４にタップ加工を施すことで本発明の効果が得られる。
【００２３】
また、前記ネジ１０２を締めた後で、キャップやパテ等の手段を用い、前記貫通孔２０３を埋めることで、更に前記ネジ１０２の存在を目立たなくすることができる。
【００２４】
更に、本実施の形態において、前記振動発生器１０５としては動電型の他に、磁界中で伸縮する超磁歪材料を用いた超磁歪アクチュエータや、電圧を加えると伸縮する圧電素子を用いた電歪アクチュエータなどでも応用が可能である。
【００２５】
なお、前記超磁歪アクチュエータを前記振動発生器１０５として用いた場合には、動電型振動発生器よりも発生応力が高いというメリットを活かして、より重畳のある物体を前記音響振動板２０５に用いることができるという別の効果も発揮できる。
【００２６】
以上の実施の形態においては、前記音響再生装置２００が装着される住宅用建材を住宅設備機器壁面１０４として説明してきたが、壁面材のみに限定されるものでなく、天井材でも床材でも柱材でも窓材でも衝立材でも扉材でもパーテーション材でも屏風材でもよく、その他住宅用建材として、前記音響再生装置２００が装着されるものであれば用途に合わせて適宜選択可能であると共に、これらの選択された住宅用建材が前記音響振動板２０５として選択可能な場合は、音響再生装置２００を外観上住宅用建材と同じとして、聴取者に対して、音響再生装置の存在を意識させない音響空間の提供を可能とするものである。
【００２７】
なお、これは以下の各実施の形態においても同様である。
【００２８】
（実施の形態２）
本発明の他の実施の形態を図２の音響再生装置の構造断面図により説明する。
【００２９】
なお、説明にあたっては主として実施の形態１との相違点のみ説明する。
【００３０】
同図によると、３０１は桟２０１の中空内部に設けられた段差であり、前記振動吸収材２０４を前記段差で抜けないように当接支持している。
【００３１】
この構成によれば、前記ネジ１０２を締めたときに、前記振動吸収材２０４が前記桟２０１から抜け落ちる現象を防止することができる。
【００３２】
（実施の形態３）
実施の形態２とは異なる本発明の他の実施の形態を図３の音響再生装置の構造断面図により説明する。
【００３３】
同図により、実施の形態１との相違点について説明すると、４０１は桟２０１の上面に装着された伸縮性を有するクッション材であり、このクッション材４０１が住宅設備機器壁面１０４に当接・圧縮された状態で、音響再生装置２００を前記住宅設備機器壁面１０４に取り付ける構成としたものである。
【００３４】
以上の構成によれば、前記音響再生装置２００と前記住宅設備機器壁面１０４との間の空間を前記クッション材４０１で塞ぐことで、前記音響振動板２０５背面からの音漏れを防止することができるものである。なお、前記クッション材４０１を圧縮した状態で前記音響再生装置２００を前記住宅設備機器壁面１０４に取り付けることで、使用状態における安定度が増す効果も得られるものである。
【００３５】
なお、前記クッション材４０１の材料としては発泡体などが用いられるが、前記振動吸収材２０４と同じゴム材料を用いても同様の効果を示す。
【００３６】
（実施の形態４）
前述の各実施の形態とは異なる本発明の他の実施の形態を図４の天井に本発明の音響再生装置を取り付けたときの構造断面図により説明する。
【００３７】
同図により主として実施の形態１との相違点について説明すると、相違点は天井材にあり、天井材５０１は前記音響再生装置２００の外形と略同等以上の貫通孔５０５を有する点である。
【００３８】
５０３はＬ字型のブラケットであり、一端側をネジ５０２によって天井材５０１に固定すると共に、他端側に設けた貫通孔５０４により、ネジ１０２と、ナット１０６で音響再生装置２００（桟２０１）に固定されている。
【００３９】
なお、前記貫通孔５０４にタップ加工を施すことによって、前記音響再生装置２００を前記天井材５０１に取り付け可能としている。この時、前記音響再生装置２００と前記ブラケット５０３とは、実施の形態１と同様に振動吸収材２０４を介して、前記ネジ１０２にて固定されている。
【００４０】
以上の構成によれば、前記天井材５０１の厚みと、前記桟２０１との高さを補正する前記ブラケット５０３を介して、前記音響再生装置２００を前記天井材５０１に取り付けることで、前記音響振動板２０５の下面を、前記天井材５０１の下面と同一の高さに合わせることが可能となり、天井の外観を損なわずに前記音響再生装置２００を配することができるものである。
【００４１】
なお、前記ブラケット５０３の形状は図４にあるような断面がＬ字のものである必要はなく、十分な強度が保証でき、かつ前記音響再生装置２００と前記天井材５０１の高さを調節できれば、他の形状でも可能である。また、前記ブラケット５０３の材料としては金属が適している。
【産業上の利用可能性】
【００４２】
本発明にかかる音響再生装置は、施工時における再生音のバラつきを抑制することができ、取り付け用のネジ頭部が音響振動板面の外側へ突出することなく、住宅設備機器への取り付けが可能となるので、住宅やマンション、オフィスビル等の建築材料で構成された居住空間内の音響空間の演出や警報装置として有用である。
【図面の簡単な説明】
【００４３】
【図１】（ａ）本発明の実施の形態１における音響再生装置の、壁面に取り付けた時の使用状態を示した正面図、（ｂ）同断面図
【図２】本発明の他の実施の形態の音響再生装置の断面図
【図３】同異なる他の実施の形態の音響再生装置の断面図
【図４】同異なる他の実施の形態の音響再生装置の断面図
【図５】従来の音響再生装置の断面図
【符号の説明】
【００４４】
１０２  ネジ
１０４  住宅設備機器壁面
１０５  振動発生器
１０６  ナット
２００  音響再生装置
２０１  桟
２０２  貫通孔
２０３  貫通孔
２０４  振動吸収材
２０５  音響振動板
３０１  段差部
４０１  クッション材
５０１  天井材
５０２  ネジ
５０３  ブラケット
５０４  貫通孔
５０５  貫通孔
【図１】
0005076861.tif 000002
【図２】
0005076861.tif 000003
【図３】
0005076861.tif 000004
【図４】
0005076861.tif 000005
【図５】
0005076861.tif 000006